(57)【要約】【課題】太陽電池の面積を大きくする必要がなく、低コストで、且つ、小型で設置場所を問わずに利用可能な、比較的明るい店内等において、広告等を目的として人の注意を喚起するための点滅灯システムを提供すること。【解決手段】点滅灯システム１０は、太陽電池２０と、太陽電池２０からの電圧を昇圧する昇圧回路３０と、電圧を安定化させる整流回路４０と、点灯間隔を制御する点灯間隔制御回路５０と、点灯させる点灯器７０を選択する点灯器選択回路６０と、点灯器（ＬＥＤ駆動回路）７０とからなる。太陽電池２０からの電圧が昇圧回路３０により昇圧され、この電圧が整流回路４０により安定化され、点灯間隔制御回路５０により点灯器７０の点灯間隔が好適に制御されることから、比較的面積の小さな太陽電池２０で効率的に点滅灯を作動させることができ、かくして、点滅灯の低コスト化、及び小型化が可能となる。【選択図】図１
2006003677.tif 000002
【特許請求の範囲】
【請求項１】
太陽電池を電源とし点灯器を点滅させる点滅灯システムであって、
該太陽電池からの電圧を昇圧する昇圧回路と、前記電圧を安定化させる整流回路と、前記点灯器の点灯間隔を制御する点灯間隔制御回路とを具えた、
点滅灯システム。
【発明の詳細な説明】
【技術分野】
【０００１】
本発明は、太陽電池を電源として、点灯器を点滅させるための点滅灯システムに関する。
【背景技術】
【０００２】
従来、図６に示すような、太陽電池を利用した点滅灯がある（例えば、特許文献１参照。）。
この点滅灯１は、ＬＥＤを収納する筒状の点滅発光室４上に太陽電池５が収納され、ほぼ球面上の透明なポリカボネートからなるカバー６を有する採光部７が設けられ、点滅発光室４の下部に前記点滅発光室４の直径より小なる直径の円筒状の取付部８が設けられている。
【０００３】
ニッケルカドミウム電池３は太陽電池５により充電される。そして、スイッチを所定位置にセットした際、光センサが所定の照度以下であることを検出すると点滅制御回路はＬＥＤを点滅させる。また、光センサが所定の照度以上の明るさであることを検出すると、点滅制御回路は、光センサのセンサ出力に基づき点滅動作を停止する。
このような太陽電池を利用した点滅灯は、電池が太陽電池により充電され、且つ、自動的に点滅動作を停止するから、長期間に亘り使用することができるという利点がある。
【特許文献１】特開平６−３０９９０７号公報
【発明の開示】
【発明が解決しようとする課題】
【０００４】
しかし、このような従来の点滅灯は、太陽電池により発生した電力を蓄電する充電池に充電可能な電圧を太陽電池から得るため、大きな面積の太陽電池を必要としている。
このため、この技術を人の注意を喚起する目的で昼間点滅する点滅灯として利用するときに、大きな面積の太陽電池を必要とする。
このように、大きな面積の太陽電池が必要となる場合、点滅灯そのものが大きくなり、点滅灯を小型化することが困難となる。また、大きな面積の太陽電池を使わなければならないことから、点滅灯が高コストとなる。
【０００５】
本発明は、上記問題に鑑み、太陽電池の面積を大きくする必要がなく、低コストで、且つ、小型で設置場所を問わずに利用可能な、比較的明るい店内等において、広告等を目的として人の注意を喚起するための点滅灯システムを提供することを目的とする。
【課題を解決するための手段】
【０００６】
本発明は、太陽電池を電源とし点灯器を点滅させる点滅灯システムであって、該太陽電池からの電圧を昇圧する昇圧回路と、前記電圧を安定化させる整流回路と、前記点灯器の点灯間隔を制御する点灯間隔制御回路とを具えた点滅灯システムによって、前記の課題を解決した。
【発明の効果】
【０００７】
本発明によれば、太陽電池からの電圧が昇圧回路により昇圧され、この電圧が整流回路により安定化され、点灯間隔制御回路により点灯器の点灯間隔が好適に制御されることから、比較的面積の小さな太陽電池で効率的に点滅灯を作動させることができ、かくして、点滅灯の低コスト化、及び小型化が可能となる。
【発明を実施するための最良の形態】
【０００８】
図１及び図２を参照して、本発明の太陽電池を電源とする点滅灯システムの実施形態を説明する。ここで、図１は本発明の太陽電池を電源とする点滅灯システムの実施形態のブロック図であり、図２は、本発明の点滅灯システムの実施形態の回路図である。
本発明の点滅灯システム１０は電子回路により構成され、太陽電池２０と、太陽電池２０からの電圧を昇圧する昇圧回路３０と、昇圧された電圧を安定化させる整流回路４０と、点灯器７０の点灯間隔を制御し点灯器７０を点滅させる点灯間隔制御回路５０と、点灯させる点灯器７０を選択する点灯器選択回路６０と、点灯器（ＬＥＤ駆動回路）７０とからなる。
【０００９】
昇圧回路３０はコイルとトランジスタにより構成され、電圧を高める割合は、コイルの巻き数により調整される。整流回路４０はダイオードとコンデンサにより構成され、昇圧回路３０により昇圧された電圧を安定化させる。点灯間隔制御回路５０は、抵抗とコンデンサとトランジスタにより構成され、抵抗の抵抗値とコンデンサの容量により点灯間隔を調整する。点灯器７０はＬＥＤとトランジスタにより構成され、トランジスタにより増幅された電流によりＬＥＤが点灯する。点灯器選択回路６０は、コンデンサとトランジスタにより構成される。本実施形態においては、点灯器７０が複数設けられているが、点灯器選択回路６０を設けることで、点灯させる点灯器７０を順次選択していくことができる。
【００１０】
本実施形態においては、電源は単体の太陽電池２０のみであるが、このように、ニッケルカドミウム電池等の充電池を設けずに、昇圧回路３０により電圧を昇圧し、整流回路４０により電圧を安定化させることで、複数の点灯器７０を点灯するのに必要な電気を供給することができる。
【００１１】
本発明の点滅灯システム１０の動作を説明する。
太陽電池２０に照度５〜１００，０００ルクスの光が照射されることにより、０．１〜１０Ｖの直流電圧が発生する。太陽電池２０で発生した直流電圧は、点灯間隔制御回路５０で交流電圧に変換された後、１〜２００ターンの巻き線を持つコイルとトランジスタで構成された昇圧回路３０で１〜５０Ｖに昇圧される。昇圧された交流電圧は整流回路４０で、再び直流電圧に変換され、同じレベルの一定電圧に整えられる。整流回路４０により安定化された電圧は、点灯器選択回路６０、ＬＥＤ駆動回路７０に印加される。点灯間隔制御回路５０により、ＬＥＤ駆動回路７０のＬＥＤに流れる電流が制御され、ＬＥＤを０．１〜６００秒の間隔で点滅させることができる。
なお、本実施形態の点滅灯システム１０は太陽電池２０からの電力を充電する機能を有さないことから、販売店内の販売促進用ディスプレイ等の、比較的高い照度が得られる場所でのみ利用が可能である。高い照度が得られない場所では、以下に説明する実施形態が用いられる。
【００１２】
本発明の点滅灯システムのさらなる実施形態を、図３及び図４に示す。ここで、図３は本発明の点滅灯システムのさらなる実施形態のブロック図であり、図４は、本発明の点滅灯システムのさらなる実施形態の回路図である。
この実施形態の点滅灯システム１２においては、昇圧回路３２により昇圧した電圧を整流回路４２のコンデンサに蓄電して利用している。この場合、光の照度が少なく大きな電力が得られないため、省電力仕様の点灯間隔制御回路５２を整流回路４２の後に設けている。さらに、昇圧するために太陽電池からの直流電圧を交流電圧に変換する直流−交流変換回路５４を設けている。
【００１３】
なお、図１及び図２の実施形態においても、整流回路４０はコンデンサを有するが、これは電圧を安定化させる目的に用いられるものであるので容量が小さくてもよい。一方、図３及び図４の実施形態の整流回路４２のコンデンサは蓄電することを目的としているから、できるだけ大きい容量のコンデンサを使うことが好ましい。
また、太陽電池２２に照射される光の照度が少ない場合は、ＬＥＤの点滅の間隔を比較的長く取ることで対応することができる。
【００１４】
本発明の実施例を、図５に示す。
本発明の点滅灯システムは、一例として、図５に示すような、広告したい商品の近くに置かれるＰＯＰ広告（購買時点広告）に利用される。
【００１５】
以上説明したように、本発明によれば、太陽電池からの電圧が昇圧回路により昇圧され、この電圧が整流回路により安定化され、点灯間隔制御回路により点灯器の点灯間隔が好適に制御されることから、比較的面積の小さな太陽電池で効率的に点滅灯を作動させることができ、かくして、点滅灯の低コスト化、及び小型化が可能となるという効果を奏する。
【００１６】
また、店内の蛍光灯をエネルギー源として利用することにより、通常必要となる交流電源を全く使用することなく、販売促進等の目的で、人の注意を惹く点滅システムを構成することができるから、販売促進等の目的の器具を簡便に、しかも比較的安価に製造することができる効果がある。
【図面の簡単な説明】
【００１７】
【図１】本発明の太陽電池を電源とする点滅灯システムの実施形態のブロック図。
【図２】本発明の点滅灯システムの実施形態の回路図。
【図３】本発明の太陽電池を電源とする点滅灯システムのさらなる実施形態のブロック図。
【図４】本発明の点滅灯システムのさらなる実施形態の回路図。
【図５】本発明の実施例を示す図。
【図６】従来の太陽電池を電源とする点滅灯の斜視図。
【符号の説明】
【００１８】
１０，１２：点滅灯システム
２０，２２：太陽電池
３０，３２：昇圧回路
４０，４２：整流回路
５０，５２：点灯間隔制御回路
６０：点灯器選択回路
７０，７２：点灯器（ＬＥＤ駆動回路）
【図１】
2006003677.tif 000003
【図２】
2006003677.tif 000004
【図３】
2006003677.tif 000005
【図４】
2006003677.tif 000006
【図５】
2006003677.tif 000007
【図６】
2006003677.tif 000008